(57)【特許請求の範囲】
【請求項１】
マスクの内側に装着されるインナーシートであって、顔の上下方向に対して上側が後方に傾いた方向に延びる軸線まわりに凸湾曲したシート状の上部湾曲部と、前記顔の上下方向に対して下側が後方に傾いた方向に延びる軸線まわりに凸湾曲したシート状の下部湾曲部とを含み、前記上部湾曲部における顔の左右方向の両端部と、前記下部湾曲部における前記左右方向の両端部とが互いに結合されており、前記上部湾曲部の上端部において、前記左右方向の中央部を、前記左右方向に隣接する部分に対し顔の接近する方向に突出するように形成された鼻当て部をさらに含む、インナーシート。
【請求項２】
前記上部湾曲部は、窓を区画する枠状のフレームを含む、請求項１に記載のインナーシート。
【請求項３】
前記鼻当て部が前記フレームと一体に形成されている、請求項２に記載のインナーシート。
【請求項４】
上部湾曲部が前記窓を覆う網目状シートを含む、請求項２または３に記載のインナーシート。
【請求項５】
前記鼻当て部および前記フレームは、シート状ブランクを折り曲げることにより設けられている、請求項２〜４のいずれか一項に記載のインナーシート。
【請求項６】
前記下部湾曲部が前記上部湾曲部に姿勢変更可能に設けられている、請求項１〜５のいずれか一項に記載のインナーシート。
【請求項７】
前記上部湾曲部の左右方向の両端部および前記下部湾曲部の左右方向の両端部の一方に設けられた突起と、前記上部湾曲部の左右方向の両端部および前記下部湾曲部の左右方向の両端部の他方に設けられ、前記突起と係合する凹所とをさらに含む、請求項１〜６のいずれか一項に記載のインナーシート。
【発明の詳細な説明】
【技術分野】
【０００１】
本発明はマスク内に装着させ、マスク内の空間を保つためのインナーシートである。
【背景技術】
【０００２】
ウィルス飛沫や浮遊する小さな微粒子の予防策として、マスクが着用される。長時間マスクを装着していると、マスクが口や鼻にはり付いて息苦しさや話しにくさを感じる場合がある。
【０００３】
これまで、長時間使用しても口にはり付くのを防ぐために、針金を入れて形状を保つマスクなどがある。
【先行技術文献】
【特許文献】
【０００４】
【特許文献１】特開２０１７−００８４７０
【発明の概要】
【発明が解決しようとする課題】
【０００５】
昨今、日常的にマスクを長時間着用している。
【０００６】
本願発明者は、マスクの内側に、別部材のインナーシートを設けて、マスク内の空間を保つことを検討している。本発明は、どのようなマスクにも接着・使用できるインナーシートを用いて、マスク内の空間を保ち、息苦しくならないことを課題とする。
【課題を解決するための手段】
【０００７】
本発明は、マスクの内側に装着されるインナーシートであって、顔の上下方向に対して上側が後方に傾いた方向に延びる軸線まわりに凸湾曲したシート状の上部湾曲部と、前記顔の上下方向に対して下側が後方に傾いた方向に延びる軸線まわりに凸湾曲したシート状の下部湾曲部とを含み、前記上部湾曲部における顔の左右方向の両端部と、前記下部湾曲部における前記左右方向の両端部とが互いに結合されており、前記上部湾曲部の上端部において、前記左右方向の中央部を、前記左右方向に隣接する部分に対し顔の接近する方向に突出するように形成された鼻当て部をさらに含む、インナーシートを提供する。
本発明の一実施形態では、前記上部湾曲部は窓を区画する枠状のフレームを含む。
本発明の一実施形態では、前記鼻当て部が前記フレームと一体形成されている。
本発明の一実施形態では、前記上部湾曲部が前記窓を覆う網目状シートを含む。
本発明の一実施形態では、前記鼻当て部および前記フレームは、シート状ブランクを折り曲げることにより設けられている。
本発明の一実施形態では、前記下部湾曲部が前記上部湾曲部に姿勢変更可能に設けられている。
本発明の一実施形態では、前記上部湾曲部の左右方向の両端部および前記下部湾曲部の左右方向の両端部の一方に設けられた突起と、前記上部湾曲部の左右方向の両端部および前記下部湾曲部の左右方向の両端部の他方に設けられ、前記突起と係合する凹所とをさらに含む。
【発明の効果】
【０００８】
本発明は、鼻当て部が鼻背から鼻尖の間に当接したことにより、使用者の鼻と口に空隙を形成するため、長時間使用しても内側にはり付きにくいので、息がしやすく話しづらさがない。
【０００９】
この発明の一実施形態では、上部湾曲部は、窓を区画するフレームを含むので、呼吸がしやすく息苦しさを低減できる。
【００１０】
この発明の一実施形態では、鼻当て部がフレームと一体に形成されている。
【００１１】
この発明の一実施形態では、上部湾曲部と下部湾曲部の窓が網目状シートによって覆われているので、呼吸がしやすく、息苦しさを低減できる。インナーシート本体の内側の全面に網目状シートを設けるので、本体を装着する際の顔面への当りを良くし装着感を減らす。
【００１２】
この発明の一実施形態では、鼻当て部およびフレームが、シート状ブランクを折り曲げることにより形成されているので、部品点数を削減できる。
【００１３】
この発明の一実施形態では、下部湾曲部が上部湾曲部に姿勢変更可能に設けられているので、上部湾曲部および下部湾曲部のそれぞれが顔にフィットし易い。
【００１４】
この発明の一実施形態では、上部湾曲部および下部湾曲部が、それぞれ顔により一層フィットし易い。
【図面の簡単な説明】
【００１５】
【図１】本発明のインナーシートをマスクに接着した状態を内側から見た図である。
【図２】前記インナーシートをマスクに接着し、顔面に装着した状態を示す図である。
【図３】前記インナーシートを横から見た図である。
【図４】上部湾曲部を後方から見た図である。
【図５】上部湾曲部を前方から見た図である。
【図６】上部湾曲部を湾曲させる前のシート状のブランクを示す図である。
【図７】下部湾曲部を湾曲させる前のシート状のブランクを示す図である。
【図８】前記インナーシートを上から見た、顔面装着時の鼻と本体との当接図である。
【図９】前記インナーシートを下から見た図である。
【発明を実施するための形態】
【００１６】
以下、本発明の実施の形態を図１〜９に基づいて説明する。
【００１７】
図１は本発明の一実施形態に係るインナーシートAをマスクBに接着した状態を内側から見た図である。図２は前記インナーシートAをインナーシートBに接着し、顔面に装着した図である。図３は前記インナーシートAを横から見た図である。図４は上部湾曲部１１を後方から見た図である。図５は上部湾曲部１１を前方から見た図である。図６は上部湾曲部１１を湾曲させる前のシート状ブランクB１を示す図である。図７は下部湾曲部１２を湾曲させる前のシート状ブランクB２を示す図である。図８は前記インナーシートAを上から見た、顔面装着時の鼻と本体Aとの当接図である。図９は前記インナーシートAを下から見た図である。
【００１８】
図1に示すように、インナーシートAは、マスクBの空間を保つために、マスクBの内側に装着されるシートである。インナーシートAは、マスクBの内面に接合手段（例えば両面テープ等）を用いて貼り付け（接合）されている。インナーシートAは、前方に向けて凸湾曲したシート状の上部湾曲部１１と、前方に向けて凸湾曲したシート状の下部湾曲部１２と、上部湾曲部１１の左右方向の中央部の上端部に設けられ、上部湾曲部１１の左右方向の中央部よりも後方に突出する鼻当て部１３とを含む。
【００１９】
上部湾曲部１１は、複数の窓１６を区画する枠状のフレームF１と、フレームF１の後面に貼り付けられ、フレームF１および全ての窓１６を覆う網目状シートS１とを含む。
上部湾曲部１１は、シート状のブランクB１の後面に網目状シートS1を貼り付けたものを、上下方向に対して上側が後方に傾いた所定方向に延びる軸線まわりに湾曲させることによって形成されている。上部湾曲部１１は、普通サイズのマスクBでは半径５８〜７８mm、好ましくは半径６３〜７３mmの湾曲体である。小さめサイズのマスクBでは半径２１〜４１mm、好ましくは２６〜３６mmの湾曲体である。
【００２０】
下部湾曲部１２は、複数の窓１７を区画する枠状のフレームF２と、フレームF2の後面に貼り付けられ、フレームF２および全ての窓１７を覆う網目状シートS２とを含む。
下部湾曲部１２は、シート状のブランクB2の後面に網目状シートS２を貼り付けたものを、上下方向に対して下側が後方に傾いた所定方向に延びる軸線まわりに湾曲させることによって形成されている。下部湾曲部１２は普通サイズのマスクBでは半径７２〜９２mm、好ましくは半径７７〜８７mmの湾曲体である。小さめサイズのマスクBでは半径８１〜１０１mm、好ましくは半径８６〜９６mmの湾曲体である。
【００２１】
上部湾曲部１１および下部湾曲部１２は、左右方向の両端部同士が互いに結合されている。上部湾曲部１１の左右方向の両端部の下端部には、下方に向けて突出する合計２つの突起Pが形成されている。下部湾曲部１２の左右方向の両端部の下端部には、合計２つの切り込みNが形成される。突起Pが対応する切り込みNに差し込まれることにより、上部湾曲部１１と下部湾曲部１２との接合が達成される。鼻当て部１３およびフレームF1,F2はシート状のブランクB1,B2を折り曲げ、かつ切り抜くことにより形成されている。
【００２２】
鼻当て部１３は、上部湾曲部11の上部の中央部を後方に凹ませて形成された、正面視で逆台形状の部材である。具体的には、鼻当て部１３は、上部湾曲部１１の中央部を後方に押し曲げることで、マスクBを長時間装着しても、鼻孔と口の前に確実に空隙を作り、かつマスクBがはり付くことを防ぎ、使用者本人の息のしやすさと話しやすさを可能にする。鼻当て部１３は、普通サイズのマスクBでは半径４９〜６９mm、好ましくは半径５４〜６４mmの湾曲体である。小さめサイズのマスクBでは半径１９〜３９mm、好ましくは半径２４〜３４mmの湾曲体である。
【００２３】
図1に示すように、マスクB内の空間を保つインナーシート本体Aの内側の全面に網目状シートS1、S２を設けるので、インナーシート本体Aを装着する際の顔面への当りを良くし装着感を減らす。
【００２４】
図２に示すように、インナーシート本体Aの、鼻当て部１３が鼻背から鼻尖の間に当たるため、鼻孔と口の前に適度な空隙ができて、マスクB自体は上下に動きにくく、軽くて鼻呼吸を邪魔しにくいので、使用者本人は息がしやすく話しやすい。
【００２５】
上部湾曲部１１と下部湾曲部１２および鼻当て部１３は、ある程度の弾力や強剛性がある故、鼻当て部１３を切り折りしやすく、しかし全く弾力のないものでも使用することができる。例えば耐水紙でもよい。安価なものでもよい。マスクB内の空間を保つインナーシートAは、接着するマスクBに添いやすく、なじむ柔軟性もあるので、顔面に装着し本体Aが顔面に押し付けられても、本体Aにある鼻当て部１３が鼻背から鼻尖の間にだけ当り両鼻孔を塞がず、両鼻孔と口に確実に空間ができるので、息がしやすい。
【００２６】
図１、図２、図８、図９に示すように、上部湾曲部１１と下部湾曲部１２とを連結させることによりマスクB内の空間を保つインナーシートAの湾曲した形がより保たれ、また口元の空間も保たれやすい。
【００２７】
図１、図８に示すように、本体Aにある鼻当て部１３は、上部湾曲部１１から内側に、鼻当て部１３の突出している高さ２２だけ突き出しており、また鼻当て部１３の横の長さ２３があるために、マスクBに装着した際、鼻背から鼻尖の間に押し付けられてもより弾性を有するので、顔面の圧迫感が少ない上、当りが柔らかく、本体Aにある鼻当て部１３が鼻背から鼻尖の間に当接すると、口元に空間が出来て、息がしやすい。
鼻当て部１３の突出している高さ２２は、標準的な成人であれば３〜１０mm程度あればよい。鼻当て部１３の横の長さ２３は、標準的な成人であれば２０〜８０mm程度あればよい。但し、鼻当て部１３の横の長さ２３は、両鼻孔を塞がない形状であり、且つ両鼻孔との間に空隙が形成される形態であればよい。
【００２８】
図５に示すように、マスクBとインナーシート本体Aの接着は、例えば強力な両面テープ（接合手段）により達成させる。接合手段としては他に片面テープ、接着剤、糊でもよい。なお、接合手段は必須の構成でなく、接合手段を設けてもインナーシートAがマスクBの内面に保持されるのなら、接合手段を省略できる。
【００２９】
図１、図４に示すように、インナーシートAの横の長さ１８は、接着するマスクBの横の長さ未満であればよい。例えば標準的な成人であれば９０〜１７０mm程度でもよい。インナーシートAの縦の長さ２０は、例えば標準的な成人であれば６０〜１５０mm程度でもよい。
【００３０】
上部湾曲部１１と網目状シートS1との接合、および下部湾曲部１２と網目状シートS２との接合には、例えば米のりが用いられる。また、米のりに代えて接着剤、両面テープが用いられてもよい。例えば米のりで接着した場合、鼻尖や頬など顔面に接触しても安全に使用できて、地球にやさしい。なお、網目状シートS１、S２は例えば衛生ガーゼを用いて形成される。
【００３１】
従来のようにインナーシートAを設けずにマスクBを直接装着する場合には、次のような問題があった。マスクB装着時にマスクB内にある空間は、長時間装着していると、口にはり付き息苦しさや話しにくさを感じてしまう。その度に指でマスクBの中央を外側に引っ張るか、マスクBを上下に動かして位置を調整することがある。特に医療従事者においては、長時間にわたりマスクBを装着しており、マスクBが口にはり付いても、衛生的な観点から手袋をした手ではマスクBのはり付きを直しづらい。
【００３２】
以上により、この実施形態によれば、鼻当て部１３が鼻背から鼻尖の間に当接したことにより、使用者の鼻と口に空隙を形成するため、長時間使用しても内側にはり付きにくいので、息がしやすく話しづらさがない。また、上部湾曲部１１に窓１６が形成されているので、呼吸がしやすく息苦しさを低減できる。また、鼻当て部１３がフレームF1、F2と一体に形成されている。また、窓１６、１７が網目状シートS１、S２によって覆われているので、呼吸がしやすく、息苦しさを低減できる。インナーシートA本体の内側の全面に網目状シートS１、S２を設けるので、インナーシートA本体を装着する際の顔面への当りを良くし装着感を減らす。また、鼻当て部１３およびフレームF１、F２が、シート状ブランクB１、B２を折り曲げることにより形成されているので、部品点数を削減できる。
【００３３】
下部湾曲部１２が上部湾曲部１１に姿勢変更可能に設けられているので、上部湾曲部１１および下部湾曲部１２のそれぞれが顔にフィットし易い。また、上部湾曲部１１と下部湾曲部12を有する本体Aには、数カ所の窓１６，１７が設けられているので、息のしやすさや話しやすさを感じ、また当接する鼻背から鼻尖の間の当りがやわらかで安定感がある。
【００３４】
上部湾曲部11と下部湾曲部１２全体に網目状シートS1,S2を接着しているので、上部湾曲部11と下部湾曲部１２は直接顔面に当たらない。マスク内の空間を保つインナーシートAをマスクBに接着し顔面に装着しても、インナーシートA全体に網目状シートS1,S2を接着しているので、顔面への当りがやわらかく、装着感が少ない。
【００３５】
マスク内の空間を保つインナーシートAは、紙・網目状シートS1,S2・お米ののりで出来ているので、燃えるゴミとして廃棄ができ、地球にやさしい。また、インナーシートAは、どのような種類のマスクにも接着できる。
【符号の説明】
【００３６】
A      マスク内の空間を保つインナーシート・本体
B      マスク
１１    上部湾曲部
１２    下部湾曲部
１３    鼻当て部
１６    上部湾曲部の窓
１７    下部湾曲部の窓
１８    マスク内の空間を保つインナーシートの横の長さ
１９    鼻当て部の横の長さ
２０    マスク内の空間を保つインナーシートの縦の長さ
２１    下部湾曲部の縦の長さ
２２    鼻当て部の突出している高さ
２３    鼻当て部の横の長さ
F1      上部湾曲部のフレーム
S1      上部湾曲部の網目状シート
B1      上部湾曲部のシート状ブランク
F2      下部湾曲部のフレーム
S2      下部湾曲部の網目状シート
B2      下部湾曲部のシート状ブランク
P      上部湾曲部の突起
N      下部湾曲部の切り込み
【要約】
【課題】マスクを装着する者は、長時間マスクを装着することにより、マスクが口にはり付き、息苦しさや話しにくさを感じてしまう。
【解決手段】使用者の装着しているマスクの内側に、シート状の湾曲したインナーシートを設置することで、口にはり付くことを防ぎ、また上部湾曲部の内側に鼻当て部を設置することで、本人の口や鼻の前に空間ができ、上部湾曲部と結合している下部湾曲部により、その空間が保たれて、息苦しさや話しにくさを解消する。
【選択図】図１【図１】
0006889351.tif 000002
【図２】
0006889351.tif 000003
【図３】
0006889351.tif 000004
【図４】
0006889351.tif 000005
【図５】
0006889351.tif 000006
【図６】
0006889351.tif 000007
【図７】
0006889351.tif 000008
【図８】
0006889351.tif 000009
【図９】
0006889351.tif 000010